(57)【要約】【課題】表示部に表示される情報を、それぞれの操作者に合った見やすさにできる決済端末機等の決済端末機を提供することにある。【解決手段】情報を表示する液晶表示部２と、液晶表示部に表示する情報のフォントの大きさを指定するカーソルキー４、ファンクションキー３、テンキー５と、前記各キーからの信号に基づいて液晶表示部２に表示する情報のフォントの大きさを変更する制御部６とを備え、操作者がカーソルキー４の上側のキーであるファンクションキー３を押下した場合は、制御部は記憶部７に登録されている標準文字サイズよりも大きいサイズの文字情報を読み出して表示内容が表示されることになり、また操作者がカーソルキー４の下側のキーであるテンキー５を押下した場合は、標準文字サイズよりも小さいサイズの文字で表示内容が表示されることになる。【選択図】図２
2005157436.tif 000002
【特許請求の範囲】
【請求項１】
情報を表示する表示部と、前記表示部に表示する情報のフォントの大きさを指定する指定キーと、前記指定キーからの信号に基づいて前記表示部に表示する情報のフォントの大きさを変更する制御部とを備えた決済端末機の表示装置。
【請求項２】
フォントの大きさ情報を記憶する記憶部を備え、制御部は電源が投入された場合に前記記憶部に記憶されているフォントの大きさ情報を読み出して前回電源遮断時のフォントの大きさで表示部に情報を表示する請求項１記載の決済端末機の表示装置。
【請求項３】
情報を表示する表示部の大きさの情報を記憶する記憶部を備え、制御部は前記記憶部から前記表示部の大きさの情報を読み出した後、前記表示部の大きさの情報を基にして前記表示部に表示する情報のフォントの大きさを決定する請求項１または２記載の決済端末機の表示装置。
【請求項４】
表示部に表示する最小単位の文字列を記憶する記憶部を備え、制御部は表示対象となる文字列を前記記憶部から読み出した前記最小単位の文字列に分割した後、前記表示部に表示する請求項１から３のいずれか１項に記載の決済端末機の表示装置。
【発明の詳細な説明】
【技術分野】
【０００１】
本発明は、情報を入力し処理する表示部を備えた決済端末機の表示装置に関するものである。
【背景技術】
【０００２】
一般に決済を処理する決済端末機において、表示部に表示される文字の大きさは固定の大きさである。また、表示部も決済端末機に専用として取り付けられている。
【０００３】
従来の決済端末機の表示手段及び表示部は、図６に示すようなものが知られている（例えば、特許文献１参照）。図６は上記従来の表示手段及び表示部を有する決済端末機の外観を示しており、２０は決済端末機で、２１は操作者に決済の情報を示す表示部である。図７は決済端末機の動作フロー図を示しており、図８は表示部２１に表示される内容を示し、そして図９は決済端末機の機能ブロック図を示している。
【０００４】
以上のような構成を有する決済端末機２０の通常の動作を図６、図７、図８そして図９を用いて説明する。決済端末機２０の電源を投入して、ステップ（以下、Ｓと表示）１からＳ２９の処理流れを示す図７のＳ１で表示部２１に表示される初期画面の表示内容、Ｓ６で商品の照会情報を表示する画面の表示内容、Ｓ２４で閲覧項目表示画面の表示内容、そしてＳ２０で情報に誤りを通知するエラー表示画面の表示内容に使用される文字の大きさは、表示内容が同じであれば必ず一定の固定の大きさで表示される。
【０００５】
つまり、決済端末機２０は図９に示す記憶部２２に一定の大きさの情報を有するフォントのみを記憶し、前記決済端末機２０は専用として取り付けられている表示部２１の表示部分の大きさと表示する情報量に応じた表示部２１への文字の配置手段及び図８に示すような画面のデザイン内容を固定情報として記憶部２２に記憶しているのである。
【０００６】
しかし従来のように、一定の大きさの文字のみを表示部に表示する表示装置では、年齢や視力の異なる様々な操作者の中には表示部に表示される文字を読み難く、決済端末機の操作性に不便さを感じるという問題を有していた。また、決済端末機の表示部である液晶の画素数が固定していると、新たに開発された表示用情報量が非常に大きい決済アプリケーションが、従来の液晶の画素数では情報を表示させることができず、画素数の多い液晶を有した新しい決済端末機を開発しなければならないという問題も有していた。
【特許文献１】特開２００２−１３３３４７号公報
【発明の開示】
【発明が解決しようとする課題】
【０００７】
上記背景技術の問題点に鑑み、本発明が解決しようとする課題は、表示される情報を、それぞれの操作者に合った見やすさにできる決済端末機の表示装置を提供することにある。
【課題を解決するための手段】
【０００８】
上記課題を解決するために、本発明の決済端末機の表示装置は、情報を表示する表示部と、前記表示部に表示する情報のフォントの大きさを指定する指定キーと、前記指定キーからの信号に基づいて前記表示部に表示する情報のフォントの大きさを変更する制御部とを備えている。この構成により、前記表示部に表示させる情報を構成する文字の大きさを変えることができ、決済端末機を操作する操作者の見やすさに合わせた大きさの文字表示を提供し、操作性を向上させることが可能となる。
【０００９】
また、本発明の決済端末機の表示装置は、情報を表示する表示部と、前記表示部に表示する情報のフォントの大きさを指定する指定キーと、前記指定キーからの信号に基づいて前記表示部に表示する情報のフォントの大きさを変更する制御部と、フォントの大きさ情報を記憶する記憶部とを備え、前記制御部は電源が投入された場合に前記記憶部に記憶されているフォントの大きさ情報を読み出して前回電源遮断時のフォントの大きさで表示部に情報を表示する構成にしている。
【００１０】
この構成により、前記表示部に表示させる情報を構成する文字の大きさを変えることができ、電源遮断後に再度電源が投入された場合でも、前回電源遮断時まで使用していた文字の大きさで前記表示部に情報を表示することができるため、決済端末機を操作する操作者の見やすさに合わせた表示とそのための再操作を不要とし、操作性を向上させることが可能となる。
【００１１】
また、本発明の決済端末機の表示装置は、情報を表示する表示部と、前記表示部に表示する情報のフォントの大きさを指定する指定キーと、前記指定キーからの信号に基づいて前記表示部に表示する情報のフォントの大きさを変更する制御部と、フォントの大きさ情報と前記表示部の大きさの情報を記憶する記憶部とを備え、前記制御部は前記記憶部から前記表示部の大きさの情報を読み出した後、前記表示部の大きさの情報を基にして前記表示部に表示する情報のフォントの大きさを決定する構成にしている。
【００１２】
この構成により、前記表示部に表示させる情報を構成する文字の大きさを変えることができ、電源遮断後に再度電源が投入された場合でも、前回電源遮断時まで使用していた文字の大きさで前記表示部に情報を表示することができるため、決済端末機を操作する操作者の見やすさに合わせた表示とそのための再操作を不要とし、操作性を向上させることが可能となる。また表示部として作用する例えば、液晶の画素数に合わせた文字の大きさに調整することができるため、表示する情報量に合わせた液晶に変更することが容易に可能となる。
【００１３】
また、本発明の決済端末機の表示装置は、情報を表示する表示部と、前記表示部に表示する情報のフォントの大きさを指定する指定キーと、前記指定キーからの信号に基づいて前記画面に表示する情報のフォントの大きさを変更する制御部と、フォントの大きさ情報と前記表示部の大きさの情報、前記表示部に表示する最小単位の文字列を記憶する記憶部とを備え、前記制御部は表示対象となる文字列を前記記憶部から読み出した前記最小単位の文字列に分割した後、前記表示部に表示する構成にしている。
【００１４】
この構成により前記表示部に表示させる情報を構成する文字の大きさを変えることができ、電源遮断後に再度電源が投入された場合でも、前回電源遮断時まで使用していた文字の大きさで前記表示部に情報を表示することができる。
【００１５】
そして、文字の大きさを変えた後に前記表示部の表示領域の大きさに比べて表示する文字列の長さが長すぎる場合でも、前記制御部は表示対象となる文字列を前記記憶部から読み出した前記最小単位の文字列に分割した後に、前記表示部に整列された文字列を表示するため、決済端末機を操作する操作者の見やすさに合わせた操作性を提供し、操作性を向上させることが可能となる。
【００１６】
また表示部として作用する例えば、液晶の画素数に合わせた文字の大きさに調整することができるため、表示する情報量に合わせた液晶に容易に変更することが可能となる。
【発明の効果】
【００１７】
以上のように本発明の決済端末機の表示装置は、表示部に表示させる情報を構成する文字の大きさを操作者の見やすい大きさに変更することができ、機器の操作性を大幅に向上させることができる。
【発明を実施するための最良の形態】
【００１８】
以下、本発明の実施の形態について、図１、図２、図３、図４、そして図５を用いて説明する。
【００１９】
（実施の形態１）
図１において、１はクレジットカード、デビットカード等の決済を処理する決済端末機、２は表示部である液晶表示部、３は決済処理の特別な処理を指示するために用意されているファンクションキー、４は液晶表示部２に表示される文字の大きさを変更するために用意されているカーソルキー、そして５は決済金額や暗証番号等の数字を入力するために用意されているテンキー、１２は決済端末機１の電源投入及び遮断するための電源スイッチである。
【００２０】
図２において、６は液晶表示部２に表示する文字の大きさ及び文字の配置を制御するための制御部、７は液晶表示部２に表示される文字の大きさ情報、あるいは液晶表示部２の情報量の大きさの情報を記憶している記憶部、８は決済処理担体である磁気カードの情報を読取る磁気カードリーダ、９は決済処理完了時に決済処理内容を印字するプリンタ、そして１０は暗証番号入力用情報機器等の外部接続機器との通信を実施するローカル通信部、１１は決済データを承認するセンターとの通信に用いるグローバル通信部、１３は決済端末機１の電源が投入されているか否かを制御部６に通知する電源制御部を示している。
【００２１】
以上のように構成された決済端末機１を操作する際の液晶表示部２への文字の表示方法及び手段について説明する。
【００２２】
先ず決済端末機１の液晶表示部２の表示領域を表す液晶の画素数を、決済端末機１の製造時あるいは設置時に、記憶部７に登録する。登録する手段としては、決済端末機１の端末の動作を決定する設定モードにおいて、テンキー５を使用して前記画素数を記憶部７に登録する。例えば、標準の液晶表示部２の画素数が横１２８ドット×縦６４ドットであった場合は、「１」、「２」、「８」、「６」、「４」とテンキー５を押下することにより記憶部７に前記画素数を記憶させることができる。
【００２３】
また、記憶部７には、液晶表示部２に文字を表示するために必要なひらがな、カタカナ、英字、数字、漢字の文字情報、そして図５に示す表示文字列Ｊ１のような決済処理メッセージの文字列、Ｋ１〜Ｋ４の文字ブロック１のＢ１や、Ｄ１〜Ｄ３の文字ブロック２のＢ２の前記文字列を構成するために必要な基本要素である文字ブロックが記憶されている。
【００２４】
上記実施の形態において、電源スイッチ１２を使用して決済端末機１の電源を投入すると、制御部６は記憶部７より液晶表示部２の表示領域の大きさを示す画素数と標準文字情報を読み出す。前記画素数を横１２８ドット×縦６４ドット、前記標準文字情報の中の標準文字サイズを横１６ドット×縦１６ドットとすると、制御部６は決済端末機１に取り付けられている液晶表示部２に表示可能な標準の文字数が横方向である列に８文字、縦方向である行に４文字であることを認識する。この表示可能な行及び列の文字数を、以降の表示文字の大きさを変更する処理の基本文字数情報として制御部６が記憶部７に記憶させる。
【００２５】
もし、液晶表示部２と異なる液晶表示部が決済端末機１に取り付け替えられた場合でも、前記液晶表示部の画素数が横２５６ドット×縦１２８ドット、前記標準文字情報の中の標準文字サイズが横１２ドット×縦１２ドットである、という情報さえ制御部６が記憶部７より読み出せることができれば、制御部６が記憶部７に記憶させる基本文字数情報は整数のみが有効数であるため行が１０文字、列が２１文字ということを記憶部７に記憶させるだけである。
【００２６】
つまり、決済端末機１に取り付けられる液晶表示部２が異なっても、決済端末機１の電源投入時に前記基本文字数情報を制御部６に認識させることで様々な大きさの液晶表示部２に対応できることを示している。以降で説明を実施する文字の表示方法及び表示手段の条件を、液晶表示部２の画素数を横１２８ドット×縦６４ドット、前記標準文字情報の中の標準文字サイズを横１６ドット×縦１６ドットとし、図３に示すように前記基本文字数情報は行４文字、列８文字ということとする。
【００２７】
決済端末機１を使用して決済処理を開始した場合、決済処理担体である磁気カードを磁気カードリーダ８に通すことを指示するメッセージである文字列「カードをどうぞ」が図３に示すように液晶表示部２に表示される。文字の大きさは変更されていないため、標準文字サイズを使用し図３に示す標準表示内容が液晶表示部２に表示される。
【００２８】
決済端末機１を使用している操作者が、前記標準表示内容が見難いと感じた場合は、決済端末機１に付いているカーソルキー４を使用して表示内容を変更することになるが、操作者がカーソルキー４の上側のキーであるファンクション３を押下した場合は、前記標準文字サイズよりも大きいサイズの文字で液晶表示部２に前記表示内容が表示されることになる。
【００２９】
また操作者が前記カーソルキー４の下側のキーであるテンキー５を押下した場合は、前記標準文字サイズよりも小さいサイズの文字で液晶表示部２に前記表示内容が表示されることになる。本実施の形態では、操作者が標準文字サイズの大きさが小さくて表示内容が見難いと感じ、カーソルキー４の上側のキーであるファンクションキー３を押下した場合の状況を説明する。
【００３０】
操作者がカーソルキー４の上側のキーを押下すると、制御部６はカーソルキー４の上側のキーが押されたことを認識し、記憶部７に記憶されている変更可能な文字サイズ情報を読み出す。この変更可能な文字サイズ情報とは、”縮小文字サイズ１＝縦８ドット／横８ドット”、”縮小文字サイズ２＝縦４ドット／横４ドット”、”拡大文字サイズ１＝縦３２ドット／横３２ドット”、”拡大文字サイズ２＝縦４８ドット／横４８ドット”といった文字サイズの内容を示し、カーソルキー４の押下回数に対応している。
【００３１】
つまり、カーソルキー４の下側のキーを１回押下すると、前記記憶部７より変更可能な文字サイズ情報の”縮小文字サイズ１＝縦８ドット／横８ドット”が読み出されることになる。また、カーソルキー４の下側のキーを２回押下すると、記憶部７より変更可能な文字サイズ情報の”縮小文字サイズ２＝縦４ドット／横４ドット”が読み出されることになる。
【００３２】
先のカーソルキー４の押下では、上側のキーの１回押下であったため、制御部６は記憶部７より”拡大文字サイズ１＝縦３２ドット／横３２ドット”という変更可能な文字サイズ情報を読み出し、前記文字列「カードをどうぞ」に使用されている文字７文字を、一般に知られているフォントのベクトル変換方式により標準文字サイズ縦１６ドット／横１６ドットから２倍のサイズである縦３２ドット／横３２ドットの文字サイズに拡大変換する。
【００３３】
先に処理している前記基本文字数情報は、行４文字、列８文字であったため、文字サイズが２倍という情報から前記基本文字数情報を１／２倍に変更する。つまり、行２文字、列４文字という整数が前記基本文字数情報として新たに記憶部７に記憶されることになる。あるいは電源投入直後に、液晶表示部２の記憶部７に記憶されている前記画素数から、前記変更可能な文字サイズ情報に対応した前記基本文字数情報を作成し、記憶部７に登録しておいてもよい。ちなみに記憶部７は不揮発性、揮発性には左右されないことに注意を要する。
【００３４】
次に拡大した文字サイズで表示対象となる文字列を強制的に液晶表示部２に表示させてしまうと、時としては読み辛い表示内容となってしまう。例えば、表示対象となる文字列が「クレジットカード」であった場合、前記標準文字サイズの場合は前記液晶表示部２の１行目に「クレジットカード」という読み易い表示内容が可能であるが、拡大文字サイズ１の場合は前記液晶表示部２の１行目に「クレジッ」、２行目に「トカード」という読み辛い表示内容となってしまう。この状態を回避するために、図５に示すＳ１〜Ｓ６の処理により文字列の分割表示方法を実施する。
【００３５】
先ず制御部６は記憶部７より前記基本文字数情報を読み出し、液晶表示部２が表示可能な行数が２文字、列数が４文字であることを認識する。また、制御部６は表示対象となる表示文字列「カードをどうぞ」Ｊ１が７文字であることを認識する（Ｓ１）。そして制御部６は、前記表示可能な列数と表示文字列Ｊ１の文字数を比較し、表示文字列Ｊ１の文字数が前記表示可能な列数よりも大きいことを認識し、表示文字列Ｊ１を前記液晶表示部２に分割表示を実施することを決定する（Ｓ２）。
【００３６】
もし、表示文字列Ｊ１の文字数が前記表示可能な列数以下であった場合は、制御部６は分割表示を実施せず、図３に示すように液晶表示部２の表示領域１行目Ｒ１及び表示領域１列目Ｃ１から表示領域７列目Ｃ７の表示領域に前記表示文字列Ｊ１を表示させることとなる。この実施の形態では制御部６が分割表示の実施を決定したため、制御部６は表示文字列Ｊ１の中に記憶部７に記憶されている文字ブロックが存在するか否か、あるいは表示文字列Ｊ１の中に前記文字ブロックが何個含まれているかを認識する。
【００３７】
表示文字列Ｊ１の中には、文字ブロック１「カードを」Ｂ１、文字ブロック２「どうぞ」Ｂ２という２個の前記文字ブロックが含まれている（Ｓ３）。制御部６は前記基本文字数情報の行数が２文字であり、前記文字ブロックの数が２個であることを認識し、前記行数と前記文字ブロックの数を比較する。
【００３８】
比較の結果、前記行数と前記文字ブロックの数が等しいため、制御部６は液晶表示部２への表示が可能と判断し（Ｓ４）、前記文字ブロック１「カードを」Ｂ１を図４に示すように表示領域１行目Ｒ１及び表示領域１列目Ｃ１から表示領域４列目Ｃ４の表示領域に表示させ（Ｓ５）、前記文字ブロック２「どうぞ」Ｂ２を表示領域２行目Ｒ２及び表示領域１列目Ｃ１から表示領域３列目Ｃ３の表示領域に表示させる（Ｓ６）。この分割表示方法により図４に示す表示内容が可能となる。
【００３９】
もし、前記行数と前記文字ブロックの数を比較した結果、前記行数より前記文字ブロックの数が大きい場合は、表示領域２行目Ｒ２に続く物理的には存在しない仮想の表示領域３行目や４行目があるものと仮定し、前記行数よりも大きい前記文字ブロックの数の前記文字ブロックを前記仮想の表示領域に配置すると仮定することにより、ファンクションキー３を使用した液晶表示部２の行方向への表示画面のスクロールを可能とし、前記ファンクションキー３の中の行方向への表示スクロールに対応したキーを押下することにより、表示領域１行目Ｒ１に表示されている文字ブロックが消え、表示領域２行目Ｒ２に表示されている文字ブロックが前記表示領域１行目Ｒ１に表示され、前記仮想の表示領域３行目に配置されていると仮定されている文字ブロックが前記表示領域２行目Ｒ２に表示されることとなる。
【００４０】
液晶表示部２に表示する文字の大きさが変更された後、制御部６は最後に、前記変更可能な文字サイズ情報のいづれが選択されたかを示す変更後文字サイズ情報を記憶部７に記憶させる。決済処理が完了し決済端末機１の電源が遮断された後、再び決済端末機１の電源が投入された時に制御部６は、記憶部７より液晶表示部２の表示領域の大きさを示す画素数、前記標準文字情報、前記基本文字数情報とともに前記変更後文字サイズ情報を読み出すことにより、前回電源が遮断された時の文字の大きさと同じ文字サイズにより前記液晶表示部２に表示文字列を表示することとなる。
【００４１】
以上のように、本実施の形態によれば決済端末機の液晶表示部に表示する文字の大きさを変更することができるとともに、決済端末機の電源が一旦遮断され、再通電された後でも前回電源遮断時の文字の大きさにて文字列の表示を実施することができるため、決済端末機を操作する操作者の見やすさに合わせた表示とそのための再操作を不要とする操作性を提供し、操作性を大幅に向上させることが可能となる。
【００４２】
また表示部として作用する液晶の画素数に合わせた文字の大きさに調整することができるため、表示する情報量に合わせた液晶に変更することが容易に可能となり、決済端末機の開発期間の短縮に貢献することができる。
【産業上の利用可能性】
【００４３】
以上のように本発明の決済端末機の表示装置は、表示部に表示される文字の大きさを操作者の見やすい大きさに変更することができ、決済端末機等の表示手段に適用できる。
【図面の簡単な説明】
【００４４】
【図１】本発明の実施の形態１における決済端末機の正面図
【図２】同実施の形態１における決済端末機の機能ブロック図
【図３】同実施の形態１における決済端末機の標準表示の画面を示す図
【図４】同実施の形態１における決済端末機の拡大表示の画面を示す図
【図５】同実施の形態１における決済端末機の表示画面における文字列の分割表示方法を示す図
【図６】従来の表示手段及び表示部を有する決済端末機の外観図
【図７】同決済端末機の動作フロー図
【図８】同決済端末機の表示画面を示す図
【図９】同決済端末機の機能ブロック図
【符号の説明】
【００４５】
２  液晶表示部（表示部）
３  ファンクションキー（指定キー）
４  カーソルキー（指定キー）
５  テンキー（指定キー）
６  制御部
７  記憶部
【図１】
2005157436.tif 000003
【図２】
2005157436.tif 000004
【図３】
2005157436.tif 000005
【図４】
2005157436.tif 000006
【図５】
2005157436.tif 000007
【図６】
2005157436.tif 000008
【図７】
2005157436.tif 000009
【図８】
2005157436.tif 000010
【図９】
2005157436.tif 000011